(57)【要約】【目的】  アラームの種類毎に異なる表示色を設定し、最新のアラーム情報に対応した表示色でアラームアイコンと計測データのチャンネルのデータ表示の背景色とを同一色で表示する。【構成】  アラーム設定画面３１において、選択したグループ毎にアラーム情報を入力し、それぞれのアラームに対してアラーム発生を通知するためのアラームアイコンの表示色を設定する。アラームが発生すると、アラームが発生した計測データのチャンネルのデータ表示の背景色と、アラームアイコンが同一色で表示される。【選択図】    図１
2005134202.tif 000002
【特許請求の範囲】
【請求項１】
外部から入力される各種計測データを記録する記録計において、
アラームの種類毎に異なる表示色が設定され、アラーム発生時に前記設定された表示色で表示するアラームアイコンを備えたことを特徴とする記録計。
【請求項２】
アラームが発生した計測データのチャンネルのデータ表示の背景色が前記アラームアイコンと同一表示色で表示されることを特徴とする請求項１記載の記録計。
【発明の詳細な説明】
【技術分野】
【０００１】
本発明は、例えば熱電対や測温抵抗体などの温度検出素子からの温度信号の他、接点信号や電圧信号などの各種入力信号の測定データを記録する記録計に係り、警報発生の際に各警報に任意の色を設定できるとともに、現在発生している最新の警報を設定した色で確認できる警報アイコンを表示する記録計に関するものである。
【背景技術】
【０００２】
従来から知られているペーパーレス記録計は、例えば熱電対や測温抵抗体などの温度検出素子からの温度信号を複数の端子部から取り込み、これらの温度データを電気信号に変換して計測時間の経過に伴う計測結果を２次元表示器に表示している。これにより、計測結果を記録紙に印字する記録計で必要とされていた記録紙などの消耗品に伴う工数とコストが大幅に削減される。また、記録紙などの機構を制御する際、より高性能化を図るために必要な複雑な制御構成がなくなり煩わしさが解消される。なお、計測記録を必要とする場合には、計測結果をメモリカードなどの記憶手段やフロッピー（Ｒ）ディスクやフラッシュメモリなどの外部記憶媒体に記録して計測結果を記憶し処理を行なうというものが広く用いられている。
【０００３】
図６はこの種のペーパーレス記録計の表示例を示している。図６において、表示画面５１は、装置の管理情報を表示する上部領域５２と、測定情報を表示する下部領域５３との２つの領域に分割されている。上部領域５２は、下部領域５３がどのような画面に切り替えられても常に装置全体の共通情報を表示する。下部領域５３は、画面の切り替えに応じた所定の画面を表示する。また、図示しないが、下部領域５３の一部（例えば左側）には、画面操作に関連した複数の選択対象項目を必要なときに選択的に一覧表示する選択項目表示領域を表示する。
【０００４】
上部領域５２には、下部領域５３に表示されている画面の名称（図６の例ではトレンド画面の第１グループ）、現在の年月日時刻、メモリへのデータ記録状況を示すアイコン、表示用メモリおよび測定データ用メモリの使用量をそれぞれ個別に示すバーグラフ、表示用メモリに取り込み可能な残り時間、装置に装着されている外部メモリの種別（本実施例ではフロッピー（Ｒ）ディスク）とその使用量を示すアイコン、演算処理中を知らせるアイコン、キーロックを示すアイコン、警報発生の有無を知らせるアイコンなどの装置に関連した管理情報を表示する。
【０００５】
下部領域５３において、画面上には４種類の画面が表示されており、トレンド画面の左上側にはトレンド表示されている各測定系統（最大１０系統）のデジタル値表示領域が表示され、各測定系統の測定値や警報状態などがデジタル表示される。デジタル値表示領域とトレンド画面の間には、各測定系統に割り当てられているトレンドの表示色のポインタが測定値の変化に連動して上下方向に移動するポインタ領域が設けられている。なお、各ポインタには割り当てられている測定系統番号が表示されている。
【０００６】
このように、装置や測定データの状態を把握するべく、何らかの異常が発生したときにアラーム発生の有無を知らせる記録計としては、例えば下記特許文献１に開示されるペーパーレス記録計などがある。
【特許文献１】特開２００１−２１３８５号公報
【発明の開示】
【発明が解決しようとする課題】
【０００７】
上記特許文献１のペーパーレス記録計を含め、従来の記録計では、装置や測定データなどに異常や警告事項が発生した場合、アラームの有無を知らせるためのアイコン表示がなされる。しかし、この種のアイコン表示は、一色（例えば赤色）で表示するのが一般的であり、アラームの種類やアラーム内容が最新か否かを確認するためは、その都度アラームの内容を確認しなければならず、簡単に確認することができなかった。
【０００８】
そこで、本発明は上記問題点に鑑みてなされたものであり、各アラームに任意の表示色を設定し、最新のアラーム情報に対応した表示色でアラームアイコンとチャンネルのデータ表示の背景色とを同一色で表示する記録計を提供することを目的とするものである。
【課題を解決するための手段】
【０００９】
上記した目的を達成するために、請求項１記載の記録計は、外部から入力される各種計測データを記録する記録計において、
アラームの種類毎に異なる表示色が設定され、アラーム発生時に前記設定された表示色で表示するアラームアイコンを備えたことを特徴とする。
【００１０】
請求項２記載の記録計は、請求項１記載の記録計において、
アラームが発生した計測データのチャンネルのデータ表示の背景色が前記アラームアイコンと同一色で表示されることを特徴とする。
【発明の効果】
【００１１】
以上説明したように本発明によれば、アラームの種類に応じて任意に表示色を設定することにより、最新のアラームの種類を表示色で簡単に確認することができる。
【００１２】
アラームアイコンの表示色と、アラームが発生したチャンネルのデータ表示の背景色を同一色で表示すれば、アラームが発生したチャンネルを簡単に特定することができる。これにより、アラーム発生時に、各チャンネルに対し、どのようなアラームが発生しているかを容易に確認できる。そして、アラーム内容を検索するための所定の操作を必要とせず作業の簡便化が図れる。
【発明を実施するための最良の形態】
【００１３】
以下、本発明の実施の形態を図面を参照しながら具体的に説明する。図１は本発明に係る記録計において各アラーム毎の表示色を設定するアラーム設定画面の一例を示す図、図２は図１のアラーム設定画面を表示させるための設定画面の一例を示す図、図３は図１のアラーム設定画面で設定した表示内容を表示させた時の一例を示す図、図４は本発明に係る記録計の電気的構成を示すブロック図、図５は本発明に係る記録計の概略構成図である。
【００１４】
まず、本例の記録計の概略構成について図４及び図５を参照しながら説明する。本例の記録計１は、外部からの入力信号として、例えば熱電対や測温抵抗体などの温度検出素子からの温度信号、接点信号や電圧信号などを複数の端子部から取込み、これらの計測データを電気信号に変換して計測時間の経過に伴う計測結果を２次元表示するものであり、図５に示すように、ＬＡＮケーブル２を用いてイーサネット（Ｒ）によりネットワーク接続されたデータ収録装置３と端末装置４を備えて構成される。
【００１５】
図４に示すように、データ収録装置３は、設定手段１１、入出力手段１２、記憶手段１３、制御手段１４を備えている。
【００１６】
設定手段１１は、データ収録に関する各種設定を行っている。この設定手段１１で設定される各種設定情報は制御手段１４に入力される。なお、この設定手段１１による各種設定は、ネットワーク又はシリアル通信により行う他、例えばユーザのキー操作により手動で設定することができる。
【００１７】
入出力手段１２は、Ｉ／Ｏインターフェースであり、例えば熱電対や測温抵抗体などの温度検出素子からの温度信号の他、接点信号や電圧信号などの各種入力信号を各チャンネル毎に入力している。このチャンネル毎の各種入力信号は、図５に示す通信ケーブル１５によりネットワーク接続された複数の入力モジュール１６を介して取り込む他、直接入出力手段１２からも取り込み可能となっている。また、入出力手段１２は、データ収録装置３に対し、後述する端末装置４からブラウザ（ＷＷＷブラウザ、Internet Explorer （Ｒ）、Netscape（Ｒ）、ビューアなどのソフト）の起動により収録データの閲覧要求があったときに、記憶手段１３に記憶された各チャンネル毎の計測データをＬＡＮケーブル２を介して端末装置４に出力している。
【００１８】
記憶手段１３は、例えばＲＯＭ，ＲＡＭなどで構成される。この記憶手段１３には、データ収録の処理に関する各種処理プログラムが記憶されている。また、記憶手段１３には、入出力手段１２から入力される各チャンネル毎の入力信号を計測データとして記憶している。なお、この記憶手段１３は、各チャンネル毎の計測データを記憶するものとして、本体に着脱可能な外部記憶媒体も含む。
【００１９】
制御手段１４は、例えばＣＰＵなどのマイクロプロセッサで構成され、設定手段１１に設定された各種設定情報と記憶手段１３に格納された各種処理プログラムに基づいてデータ収録に関する処理と端末装置４からの収録データの閲覧要求に対する処理を制御している。具体的には、各チャンネル毎の入力信号を入出力手段１２から取り込む制御、各チャンネル毎の入力信号を計測データとして記憶手段１３に記憶する制御、端末装置４から収録データの閲覧要求時に記憶手段１３に記憶された計測データを端末装置４に出力する制御などを行っている。
【００２０】
図４に示すように、端末装置４は、設定手段２１、入出力手段２２、記憶手段２３、表示手段２４、制御手段２５を備えている。
【００２１】
設定手段２１は、例えばユーザにより手動操作されるキーボードやマウスなどで、チャンネル選択の他、表示手段２４の表示画面２４ａ上に表示する各チャンネル毎の計測データを所望の表示形態で表示を行う際の各種設定を行っている。具体的には、表示手段２４の表示画面２４ａ上に各チャンネル毎の計測データを所望の表示形態で表示するためのブラウザの起動、アラームの種類毎のアラーム表示色の設定、表示画面２４ａ上にチャート表示する計測データのチャンネル数の設定、各チャンネルの計測レンジを示すスケールの範囲設定、各チャンネルの表示色の設定、各計測データを複数の分割領域で表示する場合の表示形態の設定などを行っている。この設定手段２１で設定される各種設定情報は制御手段２５に入力される。また、設定手段２１は、図３に示すように、後述するアラーム設定を含めて表示に関する各種設定を行うための設定キー３７を表示画面２４ａに有しており、この設定キー３７を押下すると、図２に示すような「データ設定」、「トレンド設定」、「レイアウト変更」、「開始・停止」、「設定管理」などの設定項目３６が階層表示される。そして、これら設定項目３６のいずれかを選択し、設定画面を表示させて必要な設定を行う。これにより、ユーザが用途に応じて表示形態を変更できるように表示画面の設定が行えるようになっている。
【００２２】
入出力手段２２は、Ｉ／Ｏインターフェースであり、データ収録装置３に収録された計測データを所望の表示形態で表示する際に計測データの閲覧要求を示す信号を出力し、この閲覧要求に対してデータ収録装置３から送られる各チャンネル毎の計測データを入力している。
【００２３】
記憶手段２３は、例えばＲＯＭ，ＲＡＭの他、例えばコンパクトフラッシュ（Ｒ）メモリカードのような外部記憶媒体などで構成される。この記憶手段２３には、ＬＡＮケーブル２を介してデータ収録装置３の記憶手段１３から取り込んだ収録データの表示処理に関する各種処理プログラムが記憶されている。また、記憶手段２３は、入出力手段２２から入力される各チャンネル毎の計測データを記憶している。さらに、記憶手段２３は、チャンネル選択手段２１ａが操作される前後の表示データを記憶している。
【００２４】
表示手段２４は、データ収録装置３に収録された各チャンネル毎の計測データを、制御手段２５の制御によりブラウザを用いて設定手段２１により設定される表示形態（例えば図３に示す表示形態）で表示画面２４ａに表示している。
【００２５】
制御手段２５は、例えばＣＰＵなどのマイクロプロセッサで構成され、設定手段２１により設定された各種設定情報と記憶手段２３に格納された各種処理プログラムに基づいて各チャンネル毎の計測データの各種表示に関する処理を制御している。なお、表示手段２４の表示制御に関して、制御手段２５は、アラームが発生したときに、設定手段２１による設定情報に基づき、アラームが発生した計測データのチャンネルのデータ表示とアラームアイコン３７を同一表示色に表示制御している。
【００２６】
そして、本例の記録計１では、端末装置４のブラウザを起動させて計測データの表示を実行すると、データ収録装置３によって収録された各チャンネル毎の計測データが、設定手段２１により設定された表示形態（例えば図３に示す表示フォーマットによる表示形態）で表示手段２４の表示画面２４ａ上に表示される。
【００２７】
次に、図１及び図２を参照しながらアラームの種類毎のアラーム表示色の設定について詳細に説明する。
【００２８】
図１に示すように、各アラーム毎のアラーム情報を設定するアラーム設定画面３１は、各チャンネルや計測箇所毎に予め設定されたグループを選択するグループ選択項目３２と、各チャンネル毎に対応するアラーム情報を設定するアラーム情報設定入力項目３３と、アラーム設定画面３１にて各種設定した内容を決定する選択キー３４を有している。
【００２９】
グループ選択項目３２は、複数のチャンネル毎に指定されたグループを例えばマウスなどのクリック操作やキーボードからの直接入力によりユーザが所定のグループを選択する項目である。このグループとは、例えば計測データや測定場所毎にそれぞれ任意に分類して設定されたものである。
【００３０】
アラーム設定項目３３は、図１に示すように、例えば「ＣＨ（チャンネル）」、「種類」、「アラーム値」、「単位時間」、「ディレイ」、「出力ＣＨ」、「表示色」などの入力項目がある。従って、ユーザは、例えばキーボードのキーを操作して直接各入力項目に入力し、計測データに応じてアラーム情報を設定する。アラーム情報が設定されると、アラームが発生した際、そのアラーム情報が設定された表示色のアラームアイコン３７で表示される。また、アラームが発生したチャンネルのデータ表示の背景色もアラームアイコンと同一色で表示される。
【００３１】
なお、アラームアイコン３７の表示色は、アラームの種類毎に異なる色で設定される。また、図１のアラーム設定画面３１では、アラーム１として、計測データの各チャンネル毎に一つのアラームが設定されるようになっているが、計測データの各チャンネル毎に同一チャンネルで複数のアラームを設定できるように構成してもよい。
【００３２】
アラームは、例えば図１に示すように、「上限」、「下限」、「変化値上限」、「変化値下限」、「変化値下限」、「データ異常」などの種類がある。「上限」、「下限」のアラームは、例えば温度変化などの計測データに対する設定値である。「変化値上限」、「変化値下限」のアラームは、計測データの単位時間当たりの変化量に対する設定値である。「データ異常」のアラームは、計測データとは全く異なる値等の本来であれば計測されないような計測値を検知した場合に、正常値の範囲を超えるものを異常として認識するために設定する値である。このようなアラーム情報が各項目に設定されると、それぞれに設定した所定の値を超えたときにアラームが発生する。
【００３３】
なお、アラーム項目やアラーム内容は上記したものに限らず、各計測データ毎に任意の設定項目内容を入力し、それに対応した項目に数値を入力することにより各計測データに応じてアラームを表示することも可能である。
【００３４】
選択キー３４は、「ＯＫ」、「閉じる」、「適用」のキーで構成される。この選択キー３４は、各種項目設定を行う際に、それぞれの項目に対して決定や訂正を行うのに用いられるキーである。この選択キー３４の「適用」、「ＯＫ」を押下すると、そのときに設定された各種項目の入力によるアラーム情報が登録される。
【００３５】
次に、各チャンネル毎のアラーム情報の設定手順について具体的に説明する。図２は表示画面上にある設定キー３５の項目を選択したときに表示される各種設定画面３６を表示させたときの図である。まず、この各種設定画面３６の項目の中から「データ設定」の項目を選択すると、「入力設定」と「アラーム設定」が階層表示される。この状態で「アラーム設定」の項目を選択する。これにより、例えば図１に示すアラーム設定画面３１が表示される。
【００３６】
そして、アラーム設定画面３１が表示された状態で、例えばグループ選択項目３２を「８」に設定し、選択したグループに属する各チャンネル毎に所定のアラーム情報を入力する。図１の例では、１チャンネルのアラームの種類：「上限」、アラーム値：２００、表示色：橙、２チャンネルのアラームの種類：「下限」、アラーム値：１０、表示色：青、３チャンネルのアラームの種類：「変化値上限」、アラーム値：１０、単位時間：１０、表示色：茜、４チャンネルのアラームの種類：「変化値下限」、アラーム値：１０、単位時間：１０、表示色：黄緑、５チャンネルのアラームの種類：「データ異常」、表示色：紫、アラーム設定がされていないチャンネル（チャンネル６〜１６）の表示色：焦茶に設定されている。なお、上記アラーム設定画面３１上で各設定がなされると、アラームが発生した際、そのアラームの種類によるチャンネルの表示色が計測データのデータ表示の背景色にも反映される。
【００３７】
このように、アラーム設定画面３１において、アラーム表示するための設定値や時間などの各情報を入力するとともに、各アラームに対してアラーム発生を通知するための表示色をアラームの種類毎に異なる色で設定する。これにより、アラームが発生した際、アラームが発生したチャンネルのデータ表示の背景とアラームアイコン３７とが設定した色で点灯又は点滅する。例えば図１に示す内容のアラーム設定がなされた状態で、図３のチャート部分の破線で示す計測データのチャンネルに「上限」のアラームが発生すると、この破線で示すチャンネルのデータ表示の背景とアラームアイコン３７とが「橙色」で表示される。
【００３８】
従って、本例の記録計１によれば、アラーム設定画面３１において、選択したグループ毎にアラーム情報を入力し、それぞれのアラームに対してアラーム発生を通知するためのアラームアイコン３７の表示色を設定すれば、アラームが発生した際に、アラーム発生時の最新のアラーム情報を、設定した表示色のアラームアイコン３７で表示することができる。これにより、最新のアラーム情報を色で簡単に確認することができる。しかも、アラーム発生時には、チャンネルのデータ表示の背景色もアラームアイコン３７と同一色で表示されるので、最新のアラームが発生しているチャンネルも特定することができる。
【００３９】
また、上述した記録計１は、アラーム発生時に、最新のアラーム情報（単一のアラームアイコン３７）が表示されるものとしたが、これに限らず、ユーザーが認識したいアラーム数に応じて各種設定することにより、最新のアラーム情報以外のアラーム情報を最新のアラーム情報の通知方法と同様に複数表示させることも可能である。
【００４０】
ところで、上述した形態では、データ収録装置３が端末装置４とＬＡＮ接続され、端末装置４からブラウザを起動させてデータ収録装置３が収録した計測データのチャートを含む表示を行う構成としたが、データ収録装置３と端末装置４を一体化した構成としても良い。この場合、データ収録装置３は、図４の端末装置４の構成と概略等しくなり、入出力手段２２からチャンネル毎の各種入力信号を入力し、この入力されデータを記憶手段２３に記憶する。そして、表示手段２４の表示画面２４ａ上に各チャンネル毎の経時変化を示すチャート表示（各チャンネル毎の現在データやスケールの表示を含む）を行えば、ＬＡＮ接続が不要なスタンドアロンの構成の記録計１とすることもできる。
【図面の簡単な説明】
【００４１】
【図１】本発明に係る記録計において各アラーム毎の表示色を設定するアラーム設定画面の一例を示す図である。
【図２】図１のアラーム設定画面を表示させるための設定画面の一例を示す図である。
【図３】図１のアラーム設定画面で設定した表示内容を表示させた時の一例を示す図である。
【図４】本発明に係る記録計の電気的構成を示すブロック図である。
【図５】本発明に係る記録計の概略構成図である。
【図６】従来のアラーム表示を行う記録計の一例を示す図である。
【符号の説明】
【００４２】
１  記録計
３１  アラーム設定画面  
３２  グループ選択項目
３３  アラーム情報設定入力項目
３７  アラームアイコン
【図１】
2005134202.tif 000003
【図２】
2005134202.tif 000004
【図３】
2005134202.tif 000005
【図４】
2005134202.tif 000006
【図５】
2005134202.tif 000007
【図６】
2005134202.tif 000008